(57)【要約】　　　（修正有）【課題】　単一のバックライトモジュールで、２面以上の液晶表示パネルを具える液晶表示装置を構成することで、液晶表示装置の体積の縮小化を可能とする。【解決手段】　光源12と、光源から照射される光線が入射するライトガイド10と、該ライトガイド内で反射し、外部に投射される光線を均一に分布させるための光学フィルム20,30とを含んでなり、該ライトガイドの対向する両面に光学フィルム20,30を貼着し、更にそれぞれの光学フィルムの他面に液晶表示パネル40,50を貼着する。該光学フィルムは、第１拡散フィルム21,31と、第１増光フィルム22,32と、第２増光フィルム23,33と、第２拡散フィルム24,34とを積層してなる。光源12は、該ライトガイド10の一端に設け、ライトエッジ方式で光線をライトガイドに入射させる。【選択図】図２
2004109992.tif 000002
【特許請求の範囲】
【請求項１】
　互いに対向する第１表面と第２表面と、及び互いに対向する第３表面と第４表面とを具えてなるライトガイドと、
該ライトガイドの第３表面側に設けられ、光線を該ライトガイドに入射させる光源と、
該ライトガイドの第１表面上に設けられ、該ライトガイドの第１表面から照射される光線を均一に分布させる第１光学フィルムと、
該ライトガイドの第２表面上に設けられ、該ライトガイドの第２表面から照射される光線を均一に分布させる第２光学フィルムとを含んでなることを特徴とする液晶表示装置のバックライトモジュール。
【請求項２】
　前記光学フィルムが第１拡散フィルムと、第１増光フィルムと、第２増光フィルムと、第２拡散フィルムとを積層してなることを特徴とする請求項１に記載の液晶表示装置のバックライトモジュール。
【請求項３】
　前記第１光学フィルムには、さらに第１液晶表示パネルを貼着し、かつ該第２光学フィルムに第２液晶表示パネルを貼着するとともに、該ライトガイドの第４表面に第３液晶表示パネルを貼着することを特徴とする請求項１に記載の液晶表示装置のバックライトモジュール。
【請求項４】
　前記ライトガイドの第４表面に反射フィルムを貼着することを特徴とする請求項１に記載の液晶表示装置のバックライトモジュール。
【請求項５】
　前記ライトガイドの第１表面に反射フィルムを貼着し、かつ該ライトガイドの第２表面の第４表面に隣接する一部領域にも反射フィルムを貼着すること特徴とする請求項４に記載の液晶表示装置のバックライトモジュール。
【請求項６】
　前記ライトガイドの第１表面の該第３表面に隣接する一部領域に反射フィルムを貼着するとともに、該ライトガイドの第４表面に隣接する一部領域に反射フィルムを貼着することを特徴とする請求項４に記載の液晶表示装置のバックライトモジュール。
【請求項７】
　前記ライトガイドの第１表面に反射フィルムを貼着し、第２表面に半透過性の反射フィルムを貼着することを特徴とする請求項４に記載の液晶表示装置のバックライトモジュール。
【請求項８】
　前記第１光学フィルムには、さらに第１液晶表示パネル上を貼着し、該第２光学フィルムには、さらに第２液晶表示パネルを貼着することを特徴とする請求項４に記載の液晶表示装置のバックライトモジュール。
【請求項９】
　前記光学フィルムが第１拡散フィルムと、第１増光フィルムと、第２増光フィルムと、第２拡散フィルムとを積層してなることを特徴とする請求項１に記載する液晶表示装置のバックライトモジュール。
【発明の詳細な説明】
【技術分野】
【０００１】
　この発明は、液晶表示装置のバックライトモジュールに関し、特に単一のバックライトモジュールで２面、もしくは３面の液晶パネルを具える液晶表示装置を構成する液晶表示装置のバックライトモジュールに関する。
【背景技術】
【０００２】
　電子産業と光電産業の急速な発展に伴い、液晶表示装置（Liquid　Crystal　Device：ＬＣＤ）は日常生活における必需品となっていて、液晶表示装置のモニター、パーソナル・ディジタル・アシストス（Personal　Digital　Assistant；ＰＤＡ）携帯電話などのディスプレー装置は、いずれも液晶表示装置を採用している。
【０００３】
　図１に従来の液晶表示装置の断面図を開示する。図１に開示するデュプレックス液晶表示装置は、楔型或いは平板状を呈するライトガイド（１０）と、光源（１２）と、第１光学フィルム（２０）と、第１液晶表示パネル（４０）とを具えてなる。
【０００４】
　該ライトガイド（１０）は、上下面である第１表面（１０ａ）及び第２表面（１０ｂ）と、端面である第３表面（１０ｃ）とを具え、該第１表面（１０ａ）には反射フィルム（１５）を貼着する。また、ライトガイド（１０）の第３表面（１０ｃ）に対向する位置に光源（１２）を設け、該光源（１２）の外周面を反射カバー（１３）で被覆する。光源（１２）から照射される光線は、ライトガイド（１０）の第３表面（１０ｃ）に入射し、ライトガイド（１０）内を複数回反射し、ライトガイド（１０）の第２表面（１０ｂ）から投射される。光源（１２）は、蛍光ランプか、もしくは直径が数ミリの陰極管（cathode　lamp）を用いる。また、その他ＣＣＦＬ、ＬＥＤなどの如何なる光源で代替としてもよい。光源（１２）の周囲を被覆する反射カバー（１３）は、光源（１２）から照射される光線が外部に遺漏することを防ぎ、且つ反射作用によって光線がライトガイド（１０）の第３表面（１０ｃ）から入射する効率を高める効果を有する。
【０００５】
　第１光学フィルム（２０）は、第１拡散フィルム（２１）と、第１増光フィルム（２２）と、第２増光フィルム（２３）と、第２拡散フィルム（２４）とを積層してなり、第１拡散フィルム（２１）の一方の表面を第１表面とし、該第１表面はライトガイド（１０）の第２表面（１０ｂ）上に位置する。また、第２拡散フィルム（２４）の一方の表面を第１光学フィルム（２０）の第２表面とし、画像を表示する第１液晶表示パネル（４０）は、第１光学フィルム（２０）の第２表面に貼着する。
【０００６】
　但し、近年になって益々多くの電子製品が２以上の液晶表示パネルを必要としている（例えば、デュアルパネルと称する２面の意匠表示パネルを具える液晶表示装置、もしくはマルチプレートと称する３面の液晶表示パネルを具える液晶表示装置）。仮に、既存する製品が２以上の液晶表示パネルを必要とした場合、２以上のバックライトモジュールを設けなければならない。このため、製造コストが大幅に上昇するのみならず、２面、もしくは３面液晶表示装置の体積が自ずから大きくなり、現在の電子製品に対する体積の縮小と、スリム化のニーズに答えることができなくなる。
【発明の開示】
【発明が解決しようとする課題】
【０００７】
　この発明は、単一のバックライトで、２面、もしくは３面の液晶表示パネルを具える液晶表示装置のバックライトに応用できる液晶表示装置のバックライトモジュールを提供することを課題とする。
【０００８】
　また、この発明は、単一のバックライトと、２面、もしくは３面の液晶表示装置とを具え、体積を縮小した液晶表示装置を提供することを課題とする。
【課題を解決するための手段】
【０００９】
　そこで、本発明者は従来の技術に見られる欠点に鑑みて鋭意研究を重ねた結果、光源と、該光源の照射する光線が入射するライトガイドと、該ライトガイドの対向する両面にそれぞれ貼着する第１光学フィルム及び第２光学フィルムとを含んでなり、かつそれぞれの光学フィルムに、さらに液晶表示パネルを貼着してなる液晶表示板のバックライトモジュールの構造によって本発明の課題を解決できる点に着眼し、かかる知見に基づいて本発明を完成させた。
【００１０】
　即ち、この発明においては、上述のとおりライトガイドと、光源と、第１光学フィルム及び第２光学フィルムとを含んでなり、該ライトガイドは対向する両面をそれぞれ第１表面及び第２表面とし、該第１表面と第２表面とには選択的に反射フィルムを貼着する。また、該光源をライトガイドの一端に設け、ライトエッジ方式で光線をライトガイドに入射させる。よって、入射した光線がライトガイド内部で複数回反射して該第１表面と第２表面から投射される。さらに、ライトガイドから投射される光線を均一に分布させるために該第１光学フィルムをライトガイドの第１表面に、該第２光学フィルムをライトガイドの第２表面にそれぞれ貼着し、かかる構造によってこの発明の課題を解決する液晶表示装置のバックライトモジュールが得られる。
【００１１】
　また、同様にライトガイドと、光源と、第１光学フィルム及び第２光学フィルムとによって構成し、該ライトガイドは、それぞれ対向する第１表面と第２表面、及び第３表面と第４表面とを具えてなり、該第１表面と、第２表面と、第３表面と、第４表面には選択的に反射フィルムを貼着し、光源からライトガイドに入射した光線がライトガイド内で複数回反射してライトガイドの第１表面と第２表面から投射されるように構成する。該光源はライトガイドの一端である第３表面側に設け、ライトエッジ方式で光線をライトガイドに入射させる。さらに、ライトガイドから投射される光線を均一に分布させるために該第１光学フィルムをライトガイドの第１表面に、該第２光学フィルムをライトガイドの第２表面にそれぞれ貼着し、かかる構造によってもこの発明の課題を解決する液晶表示装置のバックライトモジュールが得られる。
【００１２】
　また、ライトガイドと、光源と、第１光学フィルムと、第２光学フィルムと、第１液晶表示パネルと、第２液晶表示パネルとによって構成し、該ライトガイドは、それぞれ対向する第１表面と第２表面を具え、該第１表面と、第２表面には選択的に反射フィルムを貼着し、光源からライトガイドに入射した光線がライトガイド内で複数回反射してライトガイドの第１表面と第２表面から投射されるように構成する。該光源はライトガイドの一端に設け、ライトエッジ方式で光線をライトガイドに入射させる。さらに、ライトガイドから投射される光線を均一に分布させるために該第１光学フィルムをライトガイドの第１表面に、該第２光学フィルムをライトガイドの第２表面にそれぞれ貼着するとともに、第１液晶表示パネルを第１光学フィルムの第２表面に、第２液晶表示パネルを光学フィルムの第２表面にそれぞれ貼着し、かかる構造によってもこの発明の課題を解決する液晶表示装置のバックライトモジュールが得られる。
【００１３】
　さらに、３面の液晶パネルを具える場合は、ライトガイドと、光源と、第１光学フィルムと、第２光学フィルムと、第１液晶表示パネルと、第２液晶表示パネルと、第３液晶表示パネルとによって構成し、該ライトガイドは、それぞれ対向する第１表面と第２表面、及び第３表面と第４表面とを具えてなり、該第１表面と、第２表面と、第４表面には選択的に反射フィルムを貼着し、光源からライトガイドに入射した光線がライトガイド内で複数回反射してライトガイドの第１表面と第２表面と第４表面から投射されるように構成する。該光源はライトガイドの一端である第３表面側に設け、ライトエッジ方式で光線をライトガイドに入射させる。さらに、ライトガイドから投射される光線を均一に分布させるために該第１光学フィルムをライトガイドの第１表面に、該第２光学フィルムをライトガイドの第２表面にそれぞれ貼着するとともに、第１液晶表示パネルを第１光学フィルムの第２表面に、第２液晶表示パネルを光学フィルムの第２表面に、第３液晶表示パネルをライトガイドの第４表面にそれぞれ貼着し、かかる構造によってもこの発明の課題を解決する液晶表示装置のバックライトモジュールが得られる。
【００１４】
　以下、この発明について具体的に説明する。
　請求項１に記載する液晶表示装置のバックライトモジュールは、互いに対向する第１表面と第２表面と、及び互いに対向する第３表面と第４表面とを具えてなるライトガイドと、
　該ライトガイドの第３表面側に設けられ、光線を該ライトガイドに入射させる光源と、
　該ライトガイドの第１表面上に設けられ、該ライトガイドの第１表面から照射される光線を均一に分布させる第１光学フィルムと、
　該ライトガイドの第２表面上に設けられ、該ライトガイドの第２表面から照射される光線を均一に分布させる第２光学フィルムとを含んでなる。
【００１５】
　請求項２に記載する液晶表示装置のバックライトモジュールは、請求項１における光学フィルムが、第１拡散フィルムと、第１増光フィルムと、第２増光フィルムと、第２拡散フィルムとを積層してなる。
【００１６】
　請求項３に記載する液晶表示装置のバックライトモジュールは、請求項１における第１光学フィルムには、さらに第１液晶表示パネルを貼着し、かつ該第２光学フィルムに第２液晶表示パネルを貼着するとともに、該ライトガイドの第４表面に第３液晶表示パネルを貼着する。
【００１７】
　請求項４に記載する液晶表示装置のバックライトモジュールは、請求項１におけるライトガイドの第４表面に反射フィルムを貼着する。
【００１８】
　請求項５に記載する液晶表示装置のバックライトモジュールは、請求項４におけるライトガイドの第１表面に、反射フィルムを貼着し、かつ該ライトガイドの第２表面の第４表面に隣接する一部領域にも反射フィルムを貼着する。
【００１９】
　請求項６に記載する液晶表示装置のバックライトモジュールは、請求項４におけるライトガイドの第１表面の該第３表面に隣接する一部領域に反射フィルムを貼着するとともに、該ライトガイドの第４表面に隣接する一部領域に反射フィルムを貼着する。
【００２０】
　請求項７に記載する液晶表示装置のバックライトモジュールは、請求項４におけるライトガイドの第１表面に反射フィルムを貼着し、第２表面に半透過性の反射フィルムを貼着する。
【００２１】
　請求項８に記載する液晶表示装置のバックライトモジュールは、請求項４における第１光学フィルムには、さらに第１液晶表示パネル上を貼着し、該第２光学フィルムには、さらに第２液晶表示パネルを貼着する。
【００２２】
　請求項９に記載する液晶表示装置のバックライトモジュールは、請求項１における光学フィルムが第１拡散フィルムと、第１増光フィルムと、第２増光フィルムと、第２拡散フィルムとを積層してなる。
【発明の効果】
【００２３】
　本発明の液晶表示装置のバックライトモジュールは、単一のバックライトモジュールで２面、もしくは３面の液晶表示パネルを具える液晶表示装置を構成することができ、デバイスの体積を増大させることなく、スリム化できるという利点がある。
【発明を実施するための最良の形態】
【００２４】
　この発明は、薄膜トランジスタ液晶表示装置（ＴＦＴ−ＬＣＤ）、もしくはＳＴＮ―ＬＣＤなどの液晶表示装置に用いられ、単一のバックライトモジュールで、２面、もしくは３面の液晶表示パネルを具える液晶表示装置を構成する液晶表示装置のバックライトモジュールを提供するものであって、光源と、光源から照射される光線が入射するライトガイドと、該ライトガイド内で反射し、外部に投射される光線を均一に分布させるための光学フィルムとを含んでなり、該ライトガイドの対向する両面に光学フィルムを貼着し、更にそれぞれの光学フィルムの他の１面に液晶表示パネルを貼着する。液晶表示パネルが３面の場合は、ライトガイドの一端に液晶表示パネルを貼着し、該光源から入射する光線をライトガイド内で２、もしくは２以上の方向に投射するように構成する。
　係る構成の液晶表示装置のバックライトモジュールについて、その構造と特徴を詳述するために具体的な実施例を挙げ、以下に説明する。
【実施例１】
【００２５】
　この発明の第１の実施例を図２に開示する。図面によれば、ライトガイド（１０）と、光源（１２）と、第１光学フィルム（２０）と、第２光学フィルム（３０）と、第１液晶表示パネル（４０）と、第２液晶表示パネル（５０）とによって２面の液晶表示パネルを具える液晶表示装置のバックライトモジュールを構成する。
【００２６】
　ライトガイド（１０）は、楔形状か、もしくは平板状を呈し、第１表面（１０ａ）と、該第１表面（１０ａ）に対向する第２表面（１０ｂ）と、第３表面（１０ｃ）と、該第３表面（１０ｃ）に対向する第４表面（１０ｄ）とを具えてなる。該第１表面（１０ａ）と、第２表面（１０ｂ）と、第４表面（１０ｄ）は、いずれも選択的に反射フィルムを貼着する。第１の実施例においては、第１表面（１０ａ）と第２表面（１０ｂ）のいずれにも反射フィルムを貼着せず、第４表面（１０ｄ）に反射フィルム貼着する。ライトガイド（１０）は、入射する光線を内部で複数回反射させ、投射する目標物に向かって光線を収束し、第１表面（１０ａ）と第２表面（１０ｂ）から外部に投射する。
【００２７】
　実施例において、ライトガイド（１０）はプロペンなどのアクリル材によって形成し、さらに、表面には円形、六角形或いは正方形の顆粒状のパターンを形成する。この場合、スクリーン印刷、エッチング、表面を粗くする表面処理、内部粒子の拡散を行うか、もしくは射出成型（injection）で直接形成する。これら顆粒状のパターンは高い反射率を有するとともに、光線を吸収しない材料（例えば二酸化チタン、もしくは硫酸バリウムなど）によってなるため、反射光線を錯乱させる散乱点となる。
【００２８】
　光源（１２）は、ライトガイド（１０）の第３表面（１０ｃ）に設けられ、エッジライト方式で照射して光線をライトガイド（１０）に入射させる。光源（１２）は蛍光ランプを用いるが、直径が数ミリの陰極管（cathode　lamp）を用いてもよく、また、ＣＣＦＬ，ＬＥＤなどか、もしくはその他代替できる光源であればよい。光源（１２）は、反射カバー（１３）を設けて外周面を覆う。反射カバー（１３）は、光源（１２）から照射される光線が外部に遺漏することを防ぐとともに、反射作用でライトガイド（１０）の第３表面（１０ｃ）からライトガイド（１０）に入射する比率を高める効果を有する。
【００２９】
　第１光学フィルム（２０）は、ライトガイド（１０）側の表面を第１表面とし、他方の表面を第２表面とする。第１光学フィルム（２０）は、ライトガイド（１０）の第１表面（１０ａ）上に設けられ、ライトガイド（１０）から照射される光線を均一に分布させる作用を有する。また、第１光学フィルム（２０）は、第１拡散フィルム（２１）によってなるか、もしくは第１拡散フィルム（２１）と、第１増光フィルム（２２）と、第２増光フィルム（２３）と、及び第２拡散フィルム（２４）とを積層してなる。
【００３０】
　該第１拡散フィルム（２１）と第２拡散フィルム（２４）は、ライトガイド（１０）から照射される光線を散乱させて更に均一にし、光線の輝度を緩和する作用を有する。第１増光フィルム（２２）と第２増光フィルム（２３）は、プリズム（prizm）であって、必要とする光線の集光効果を達成する。高い輝度が要求される場合は、直接プリズム（prizm）の数を増加することによって集光度を高めることができ、且つ空間を占める比例を増加させることがない。
【００３１】
　第２光学フィルム（３０）は、ライトガイド（１０）側の表面を第１表面とし、他方の表面を第２表面とする。第２光学フィルム（３０）は、ライトガイド（１０）の第２表面（１０ｂ）上に設けられ、ライトガイド（１０）から照射される光線を均一に分布させる作用を有する。また、第２光学フィルム（３０）は、第１拡散フィルム（３１）によってなるか、もしくは第１拡散フィルム（３１）と、第１増光フィルム（３２）と、第２増光フィルム（３３）と、第２拡散フィルム（３４）とを積層してなる。
【００３２】
　該第１拡散フィルム（３１）と第２拡散フィルム（３４）は、ライトガイド（１０）から照射される光線を散乱させて更に均一にし、光線の輝度を緩和する作用を有する。第１増光フィルム（３２）と第２増光フィルム（３３）は、プリズム（prizm）であって、必要とする光線の集光効果を達成する。高い輝度が要求される場合は、直接プリズム（prizm）の数を増加することによって集光度を高めることができ、且つ空間を占める比例を増加させることがない。
【００３３】
　第１液晶表示パネル（４０）は、第１光学フィルム（２０）の第２表面に貼着し、第２液晶表示パネル（５０）は、第２光学フィルム（３０）の第２表面に貼着する。第１の実施例においては、ライトガイド（１０）の第１表面（１０ａ）と第２表面（１０ｂ）のいずれにも反射フィルムを貼着しない。よって、ライトガイド（１０）の第１表面（１０ａ）と第２表面（１０ｂ）のいずれからも光線が照射され、第１液晶表示パネル（４０）と第２液晶表示パネル（５０）はいずれも画像を表示することができる。
【実施例２】
【００３４】
　図３に、この発明の第２の実施例を開示する。図面に開示する液晶表示装置は、２面の液晶表示パネルを有する。その構造は、ライトガイド（１０）と、光源（１２）と、第１光学フィルム（２０）と、第２光学フィルム（３０）と、第１液晶表示パネル（４０）と、第２液晶表示パネル（５０）とを含んでなる。
【００３５】
　該ライトガイド（１０）は、楔型もしくは平板状を呈し、第１光学フィルム（２０）側の表面を第１表面（１０ａ）とし、該第１表面（１０ａ）に対向する第２光学フィルム（３０）側の表面を第２表面（１０ｂ）とし、光源（１２）側の端面を第３表面（１０ｃ）とし、該第３表面に対向する端面を第４表面（１０ｄ）とする。また、第１表面（１０ａ）と第２表面（１０ｂ）と第４表面（１０ｄ）は、いずれも選択的に反射フィルムを貼着する。第２の実施例においては、第１表面（１０ａ）には反射フィルムを貼着せず、第２表面（１０ｂ）の一部と、第４表面（１０ｄ）に反射フィルム（１５）を貼着する。第２表面（１０ｂ）の反射フィルム（１５）を貼着する部分を第１領域（１０ｂ１）とする。
【００３６】
　第２の実施例においては、図３に開示するように、光源（１２）から照射された光線は、ライトガイド（１０）の内部で反射を繰り返して投射目標に向かって収束し、照射される。ライトガイド（１０）の第１表面（１０ａ）と第２表面（１０ｂ）の反射フィルム（１５）が貼着されていない部分（第２領域（１０ｂ２））から照射される。
【００３７】
　第１光学フィルム（２０）は、ライトガイド（１０）側の表面を第１表面とし、他方の表面を第２表面とする。また、第１光学フィルム（２０）は、ライトガイド（１０）の第１表面（１０ａ）上に設けられ、ライトガイド（１０）の第１表面（１０ａ）から照射される光線を均一に分布する効果を有する。第１光学フィルム（２０）は、第１拡散フィルム（２１）によってなるか、或いは第１拡散フィルム（２１）と、第１増光フィルム（２２）と、第２増光フィルム（２３）と、第２拡散フィルム（２４）とを積層してなる。
【００３８】
　第２光学フィルム（３０）は、ライトガイド（１０）側の表面を第１表面とし、他方の表面を第２表面とする。また、第２光学フィルム（３０）は、ライトガイド（１０）の第２表面（１０ｂ）上の反射フィルム（１５）を貼着しない部分（第２領域（１０ｂ２））に設けられ、ライトガイド（１０）の第２表面（１０ｂ）から照射される光線を均一に分布する効果を有する。第２光学フィルム（３０）は、第１拡散フィルム（３１）によってなるか、或いは第１拡散フィルム（３１）と、第１増光フィルム（３２）と、第２増光フィルム（３３）と、第２拡散フィルム（３４）とを積層してなる。
【００３９】
　第１液晶表示パネル（４０）は、第１光学フィルム（２０）の第２表面に貼着し、第２液晶表示パネル（５０）は、第２光学フィルム（３０）の第２表面に貼着する。第２の実施例におけるその他の構成、及び材質については第１の実施例と略同様であるため、ここでは詳述しない。
【００４０】
　第２の実施例においては、ライトガイド（１０）の第１表面（１０ａ）と第２表面（１０ｂ）の第２領域（１０ｂ２）には反射フィルム（１５）を貼着しない。このため、第１表面（１０ａ）と第２表面（１０ｂ）の第２領域（１０ｂ２）から光線が照射され、第１液晶表示パネル（４０）と第２液晶表示パネル（５０）は画像を表示することができる。
【実施例３】
【００４１】
　図４に、この発明の第３の実施例を開示する。図面に開示する液晶表示装置は、２面の液晶表示パネルを有する。その構造は、ライトガイド（１０）と、光源（１２）と、第１光学フィルム（２０）と、第２光学フィルム（３０）と、第１液晶表示パネル（４０）と、第２液晶表示パネル（５０）とを含んでなる。
【００４２】
　該ライトガイド（１０）は、楔形状か、もしくは平板状を呈し、第１光学フィルム（２０）側の表面を第１表面（１０ａ）とし、該第１表面（１０ａ）に対向する第２光学フィルム（３０）側の表面を第２表面（１０ｂ）とし、光源（１２）側の端面を第３表面（１０ｃ）とし、該第３表面（１０ｃ）に対向する端面を第４表面（１０ｄ）とする。また、第１表面（１０ａ）と第２表面（１０ｂ）と第４表面（１０ｄ）は、いずれも選択的に反射フィルムを貼着する。第３の実施例においては、第１表面（１０ａ）の第２領域（１０ａ２）と第２表面（１０ｂ）の第２領域（１０ｂ２）には反射フィルムを貼着せず、第１表面（１０ａ）の第１領域（１０ａ１）と第２表面（１０ｂ）の第１領域（１０ｂ１）と第４表面（１０ｄ）に反射フィルム（１５）を貼着する。
【００４３】
　第３の実施例においては、図４に開示するように、光源（１２）から照射された光線は、ライトガイド（１０）の内部で反射を繰り返して投射目標に向かって収束し、ライトガイド（１０）の第１表面（１０ａ）の第２領域（１０ａ２）及び第２表面（１０ｂ）の第２領域（１０ｂ２）から照射される。
【００４４】
　第１光学フィルム（２０）は、ライトガイド（１０）側の表面を第１表面とし、他方の表面を第２表面とする。また、第１光学フィルム（２０）は、ライトガイド（１０）の第１表面（１０ａ）上に設けられ、ライトガイド（１０）の第１表面（１０ａ）の第２領域（１０ａ２）から照射される光線を均一に分布する効果を有する。第１光学フィルム（２０）は、第１拡散フィルム（２１）によってなるか、或いは第１拡散フィルム（２１）と、第１増光フィルム（２２）と、第２増光フィルム（２３）と、第２拡散フィルム（２４）とを積層してなる。
【００４５】
　第２光学フィルム（３０）は、ライトガイド（１０）側の表面を第１表面とし、他方の表面を第２表面とする。また、第２光学フィルム（３０）は、ライトガイド（１０）の第２表面（１０ｂ）上の反射フィルム（１５）を貼着しない部分（第２領域（１０ｂ２））に設けられ、ライトガイド（１０）の第２表面（１０ｂ）から照射される光線を均一に分布する効果を有する。第２光学フィルム（３０）は、第１拡散フィルム（３１）によってなるか、或いは第１拡散フィルム（３１）と、第１増光フィルム（３２）と、第２増光フィルム（３３）と、第２拡散フィルム（３４）とを積層してなる。
【００４６】
　第１液晶表示パネル（４０）は、第１光学フィルム（２０）の第２表面に貼着し、第２液晶表示パネル（５０）は、第２光学フィルム（３０）の第２表面に貼着する。第３の実施例におけるその他の構成、及び材質については第１の実施例と略同様であるため、ここでは詳述しない。
【００４７】
　第３の実施例においては、ライトガイド（１０）の第１表面（１０ａ）の第２領域（１０ａ２）と第２表面（１０ｂ）の第２領域（１０ｂ２）には反射フィルム（１５）を貼着しない。このため、ライトガイド（１０）の第１表面（１０ａ）の第２領域（１０ａ２）と第２表面（１０ｂ）の第２領域（１０ｂ２）のいずれからも光線が照射され、第１液晶表示パネル（４０）と第２液晶表示パネル（５０）は画像を表示することができる。
【実施例４】
【００４８】
　この発明の第４の実施例を図５に開示する。図面には、３面の液晶表示パネルを有する液晶表示装置のバックライトモジュールを開示する。その構成は、ライトガイド（１０）と、光源（１２）と、第１光学フィルム（２０）と、第２光学フィルム（３０）と、第１液晶表示パネル（４０）と、第２液晶表示パネル（５０）と、第３液晶表示パネル（６０）とを含んでなる。
【００４９】
　該ライトガイド（１０）は、楔形状か、或いは平板状を呈し、第１表面（１０ａ）と、該第１表面（１０ａ）に対向する第２表面（１０ｂ）と、第３表面（１０ｃ）と、該第３表面（１０ｃ）に対向する第４表面（１０ｄ）とを具えてなる。該第１表面（１０ａ）と、第２表面（１０ｂ）と、第４表面（１０ｄ）は、いずれも選択的に反射フィルムを貼着することができる。第４の実施例においては、第１表面（１０ａ）と第２表面（１０ｂ）のいずれにも反射フィルムを貼着しない。ライトガイド（１０）は、入射する光線を内部で複数回反射させ、投射する目標物に向かって光線を収束し、ライトガイド（１０）の第１表面（１０ａ）と第２表面（１０ｂ）と第４表面（１０ｄ）から外部に投射する。
【００５０】
　第１光学フィルム（２０）は、ライトガイド（１０）側の表面を第１表面とし、他方の表面を第２表面とする。第１光学フィルム（２０）は、ライトガイド（１０）の第１表面（１０ａ）上に設けられ、ライトガイド（１０）から照射される光線を均一に分布させる効果を有する。また、第１光学フィルム（２０）は、第１拡散フィルム（２１）によってなるか、もしくは第１拡散フィルム（２１）と、第１増光フィルム（２２）と、第２増光フィルム（２３）と、及び第２拡散フィルム（２４）とを積層してなる。
【００５１】
　第１拡散フィルム（２１）と第２拡散フィルム（２４）は、ライトガイド（１０）から照射される光線を散乱させて更に均一にし、光線の輝度を緩和する作用を有する。第１増光フィルム（２２）と第２増光フィルム（２３）は、プリズム（prizm）であって、必要とする光線の集光効果を達成する。高い輝度が要求される場合は、直接プリズム（prizm）の数を増加することによって集光度を高めることができ、空間を占める比例は増加しない。
【００５２】
　第２光学フィルム（３０）は、ライトガイド（１０）側の表面を第１表面とし、他方の表面を第２表面とする。第２光学フィルム（３０）は、ライトガイド（１０）の第２表面（１０ｂ）上に設けられ、ライトガイド（１０）から照射される光線を均一に分布させる作用を有する。第２光学フィルム（３０）は、第１拡散フィルム（３１）によってなるか、もしくは第１拡散フィルム（３１）と、第１増光フィルム（３２）と、第２増光フィルム（３３）と、第２拡散フィルム（３４）とを積層してなる。
【００５３】
　該第１拡散フィルム（３１）と第２拡散フィルム（３４）とは、ライトガイド（１０）から照射される光線を散乱させて更に均一にし、光線の輝度を緩和する作用を有する。第１増光フィルム（３２）と第２増光フィルム（３３）は、プリズム（prizm）であって、必要とする光線の集光効果を達成する。高い輝度が要求される場合は、直接プリズム（prizm）の数を増加することによって集光度を高めることができ、空間を占める比例は増加しない。
【００５４】
　第４の実施例におけるその他構成と材質は、第１の実施例と略同様であるので、ここでは詳述しない。
【００５５】
　第１液晶表示パネル（４０）は、第１光学フィルム（２０）の第２表面に貼着し、第２液晶表示パネル（５０）は、第２光学フィルム（３０）の第２表面に貼着するとともに、第３液晶表示パネル（６０）をライトガイド（１０）の第４表面（１０ｄ）に貼着する。第４の実施例においては、ライトガイド（１０）の第１表面（１０ａ）と第２表面（１０ｂ）と第４表面（１０ｄ）のいずれにも反射フィルムを貼着しない。よって、ライトガイド（１０）の第１表面（１０ａ）と第２表面（１０ｂ）と第４表面（１０ｄ）のいずれからも光線が照射され、第１液晶表示パネル（４０）と第２液晶表示パネル（５０）と第３液晶表示パネル（６０）はいずれも画像を表示することができる。
【実施例５】
【００５６】
　図６に、この発明の第５の実施例を開示する。図面に開示する液晶表示装置は、２面の液晶表示パネルを有する。その構造は、ライトガイド（１０）と、光源（１２）と、第１光学フィルム（２０）と、第２光学フィルム（３０）と、第１液晶表示パネル（４０）と、第２液晶表示パネル（５０）とを含んでなる。
【００５７】
　該ライトガイド（１０）は、楔型もしくは平板状を呈し、第１光学フィルム（２０）側の表面を第１表面（１０ａ）とし、該第１表面（１０ａ）に対向する第２光学フィルム（３０）側の表面を第２表面（１０ｂ）とし、光源（１２）側の端面を第３表面（１０ｃ）とし、該第３表面（１０ｃ）に対向する端面を第４表面（１０ｄ）とする。また、第１表面（１０ａ）と第２表面（１０ｂ）と第４表面（１０ｄ）は、いずれも選択的に反射フィルムを貼着する。第５の実施例においては、第１表面（１０ａ）には反射フィルムを貼着せず、第２表面（１０ｂ）には半透過性の反射フィルム（１６）を貼着する。
【００５８】
　第５の実施例においては、図６に開示するように、光源（１２）から照射された光線は、ライトガイド（１０）の内部で反射を繰り返して投射目標に向かって収束し、ライトガイド（１０）の第１表面（１０ａ）と第２表面（１０ｂ）から照射される。
【００５９】
　第１光学フィルム（２０）は、ライトガイド（１０）側の表面を第１表面とし、他方の表面を第２表面とする。また、第１光学フィルム（２０）は、ライトガイド（１０）の第１表面（１０ａ）上に設けられ、ライトガイド（１０）の第１表面（１０ａ）から照射される光線を均一に分布する効果を有する。第１光学フィルム（２０）は、第１拡散フィルム（２１）によってなるか、或いは第１拡散フィルム（２１）と、第１増光フィルム（２２）と、第２増光フィルム（２３）と、第２拡散フィルム（２４）とを積層してなる。
【００６０】
　第２光学フィルム（３０）は、ライトガイド（１０）側の表面を第１表面とし、他方の表面を第２表面とする。また、第２光学フィルム（３０）は、ライトガイド（１０）の第２表面（１０ｂ）上に設けられ、ライトガイド（１０）の第２表面（１０ｂ）から照射される光線を均一に分布する効果を有する。第２光学フィルム（３０）は、第１拡散フィルム（３１）によってなるか、或いは第１拡散フィルム（３１）と、第１増光フィルム（３２）と、第２増光フィルム（３３）と、第２拡散フィルム（３４）とを積層してなる。
【００６１】
　第１液晶表示パネル（４０）は、第１光学フィルム（２０）の第２表面に貼着し、第２液晶表示パネル（５０）は、第２光学フィルム（３０）の第２表面に貼着する。第５の実施例におけるその他の構成、及び材質については第１の実施例と略同様であるため、ここでは詳述しない。
【００６２】
　第５の実施例においては、ライトガイド（１０）の第１表面（１０ａ）には反射フィルム（１５）を貼着することなく、且つ第２表面（１０ｂ）には半透過性の反射フィルム（１６）を貼着する。よってライトガイド（１０）の第１表面（１０ａ）と第２表面（１０ｂ）のいずれからも光線が照射され、第１液晶表示パネル（４０）と第２液晶表示パネル（５０）は画像を表示することができる。
【００６３】
　この発明は、第１表面（１０ａ）と、第２表面（１０ｂ）と、第４表面（１０ｄ）に選択的に反射フィルムを貼着することを原則とする。よって、上述のそれぞれの実施例における実施形態以外に、その他異なる組合せに変化させることができる。但し、その主な構成と、材質などは上述するそれぞれの実施例と同様であるのでここでは詳述しない。
【００６４】
　以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００６５】
【図１】従来の技術による液晶表示装置の断面説明図である。
【図２】この発明の第１の実施例による液晶表示装置の断面説明図である。
【図３】この発明の第２の実施例による液晶表示装置の断面説明図である。
【図４】この発明の第３の実施例による液晶表示装置の断面説明図である。
【図５】この発明の第４の実施例による液晶表示装置の断面説明図である。
【図６】この発明の第５の実施例による液晶表示装置の断面説明図である。
【符号の説明】
【００６６】
　１０ 　　　　　　　　　ライトガイド
　１０ａ　　　　　　　　　第１表面
　１０ａ１、１０ｂ１　　 第１領域
　１０ａ２、１０ｂ２　　 第２領域
　１０ｂ　　　　　　　　　第２表面
　１０ｃ　　　　　　　　　第３表面
　１０ｄ　　　　　　　　　第４表面
　１２ 　　　　　　　　　光源
　１３ 　　　　　　　　　反射カバー
　１５ 　　　　　　　　　反射フィルム
　１６ 　　　　　　　　　反射フィルム
　２０ 　　　　　　　　　第１光学フィルム
　２１、３１　　　　　　　第１拡散フィルム
　２２、３２　　　　　　　第１増光フィルム
　２３、３３　　　　　　　第２増光フィルム
　２４、３４　　　　　　　第２拡散フィルム
　３０ 　　　　　　　　　第２光学フィルム
　４０ 　　　　　　　　　第１液晶表示パネル
　５０ 　　　　　　　　　第２液晶表示パネル
　６０ 　　　　　　　　　第３液晶表示パネル
【図１】
2004109992.tif 000003
【図２】
2004109992.tif 000004
【図３】
2004109992.tif 000005
【図４】
2004109992.tif 000006
【図５】
2004109992.tif 000007
【図６】
2004109992.tif 000008